(57)【要約】      （修正有）【課題】皮革バスケット釦の頭部に人工的な彩色、着色、ぼかし、彫り、ステッチ付け等々の手段で表面処理を施してなる皮革バスケット釦を提供する。【解決手段】所定長さの細巾極薄の皮革紐条帯１からなる皮革紐条帯からなるバスケット粗編み球体を形成し、このバスケット粗編み球体に所定温度に加熱、押圧して上表面が球体で下面平坦部の中部に糸通用脚部ｂを形成してなる皮革バスケット釦において、この皮革バスケット釦の素材である細巾極薄の皮革紐条帯１の表面側に長手方向に沿って望ましい曲線、直線、柄、記号、文字、図案、パターン、又はぼかし模様等の各種の表示を施す表面加工をしてなる。【選択図】図３
0003176259.tif 000002
【実用新案登録請求の範囲】
【請求項１】
所定長さの細巾極薄の皮革紐条帯からなるバスケット粗編み球体を形成し、このバスケット粗編み球体に所定温度に加熱、押圧して上部が半球帯の頭部と下部が縫着用の脚部とからなる皮革バスケット釦において、前記皮革バスケット釦の素材である細巾極薄の皮革紐条帯の表面側に長手方向に沿って望ましい曲線、直線、柄、記号、文字、図案、パターン、又はぼかし模様等の各種の表示を施す表面加工をしたことを特徴とする皮革バスケット釦。
【請求項２】
細巾極薄の皮革紐条帯の表面側に表した望ましい曲線、直線、柄、記号、文字、図案、パターン、又はぼかし模様等の各種の表示は手作業又は機械的手段によって彩色模様をふするようにした請求項１記載の皮革バスケット釦。
【請求項３】
細巾極薄の皮革紐条帯の表面側に望ましい曲線、直線、柄、記号、文字、図案、又はパターンは、プレス手段によって凹凸模様を付するようにした請求項１記載の皮革バスケット釦。
【請求項４】
細巾極薄の皮革紐条帯の表面側に望ましい曲線、直線、柄、記号、文字、図案、パターン、又はぼかし模様等の各種の表示は縫製手段によるステッチ模様とした請求項１記載の皮革バスケット釦。
【考案の詳細な説明】
【技術分野】
【０００１】この考案は、牛、馬、山羊などの皮革製の一本又は数本の皮革の細巾の紐条帯をバスケット風に立体的に粗編み上げた上で、これを表面側を球面状に、平板状の下面中央部にボタン脚部となる全体としてビス状の形態をした半球体の本皮バスケット釦としてなる皮革バスケット釦に関する。
【背景技術】
【０００２】従来のこのような皮革製釦には二種類がある。一つは、厚みのある皮革を打ち抜き、裏面に足を付けるもの、他の一つは、図６、図７に示すように皮革をテープ状の薄くはぎ取りバスケット状に編み上げるタイプの釦である。【０００３】本考案は後者のタイプに属する皮革バスケット釦である。このタイプの皮革バスケット釦では従来、（イ）皮革を釦のサイズに合わせて、テープ状の皮革を、幅に裁断し、（ロ）スキ割機でその厚みを統一した上で手作業で一個ずつ釦のような立体状に粗編み上げ、（ハ）型押機でプレスして釦の形状に成形した上で、（ニ）皮革の表面を砂ガシャで摩擦して、（ホ）ラッカーを吹き付け塗装して、（ヘ）赤外線乾燥機で低温焼付け等々の工程を経て完成する。
【考案の概要】
【考案の解決しようとする課題】
【０００４】従来の皮革バスケット釦の素材は、牛、馬、山羊などの皮革に必要な加工処理をした上で一個一個仕上げていた。特に、皮革バスケット釦の半球体の頭部には一切の着色塔を付することない皮革の味わいを的な彩色、着色、彫り、ステッチ付け、その他の模様等々を付けること一切やらずに皮革の本来の味わいのみを残すものであった。
【０００５】従来の皮革バスケット釦はそれなりの味わいがあるが、皮革バスケット釦の分野でも各種商品のファッションの多様化という時代の要請に応じて皮革バスケット釦の頭部には人工的な彩色、着色、彫り、ステッチ付け等々の手段で表面処理をすることによって各種商品の多様な皮革バスケット釦を楽しむことができることが判明した。
【課題を解決するための手段】
【０００６】そこで、本考案は、このような時代又は取引先等の要請を受けて皮革バスケット釦の頭部に人工的な彩色、着色、ぼかし、彫り、ステッチ付け等々の手段で表面処理を施してなる皮革バスケット釦を提供する。
【０００７】更に、詳しくは、この考案は上記の要請に応じるために、所定長さの細巾極薄の皮革紐条帯の上表面に細巾極薄の皮革紐条帯の表面側に望ましい曲線、直線、柄、文様、図案、パターン、木目、又はぼかし模様絵を施す表面加工をした上で、この皮革紐条帯からなるバスケット粗編みしてなる立体的となるようにし、下部に脚部を突出させ、これに所定温度に加熱、押圧して上部が半球体の頭部と縫着用の脚部とからなるように形成してなる。
【考案の効果】
【０００８】上記のように、皮革バスケット釦の素材である細巾極薄の皮革紐条帯の表面側に予め望ましい表面加工をした上で粗編み、プレス加工をした上で皮革バスケット釦として製品化することによって従来の皮革バスケット釦と較べて格段に雅趣に溢れた皮革バスケット釦とすることができ、これによって皮革バスケット釦の新たな需要を喚起することができ、従って本件皮革バスケット釦を使用する業界の発展に大いに寄与するものである。
【考案を実施するための最良の形態】
【０００９】この考案は、所定長さの細巾極薄の皮革紐条帯からからなるバスケット粗編み球体を形成し、このバスケット粗編み球体に所定温度に加熱、押圧して上表面が球体で下面平坦部の中部に糸通用脚部を形成してなる皮革バスケット釦において、この皮革バスケット釦の素材である細巾極薄の皮革紐条帯の表面側に望ましい曲線、直線、柄、各種の文様、図案、パターン、又はぼかし模様等の表示を施してなる皮革バスケット釦としたものである。
【実施例１】
【００１０】皮革バスケット釦の素材は、牛、馬、山羊などの皮革所定長さの細巾極薄の皮革紐条帯１から皮革バスケット釦ａを成形する工程は、ほぼ従来の工程であるが、本考案の特異な点は、皮革紐条帯１にの表面側２に曲線、直線、柄、各種の文様、図案、パターン、又はぼかし模様等の着色する。この着色は手作業又は各種の印刷手段によっ行われる。【００１１】これらの表面加工は皮革紐条帯からなる細巾極薄の皮革紐条帯１の表面側に表現された上で手作業でのパスケット粗網みをされる。皮革バスケット釦ａを構成する頭部ａ及び脚部ｂも当然パスケット粗網み作業の中で形成される。【００１２】表面側に表示２した模様等の表示のある細巾極薄の皮革紐条帯１によって一個ずつ手作業で頭部ａと脚部ｂとからなる立体的な形状に粗編した上で、これを型押機でプレスすることによって半球体とした頭部ａと縫製用の皮革製脚部ｂとからなる皮革バスケット釦に成形される。この段階で、素材である細巾極薄の皮革紐条帯１の表面側に表現した各種の文様、図案、パターン、又はぼかし模様等々の着色模様は立体的な形状に粗編したことによって全体として製作者自身が予想もしないような全体として複雑な意匠的な外観を呈することが判明した。【００１３】例えば、図１及び図２に示すように、細巾極薄の皮革紐帯１の中央部に単純な直状に等間隔の細かな斜線７を表現して皮革バスケット釦を作製した場合には図２、図３のような外観の皮革バスケット釦を得ることができるのである。極めて単純な細かな斜線模様７を素材である細巾極薄の皮革紐帯１の表面側に表現しただけであるのに図１の皮革バスケット釦の頭部の平面図のような雅趣に富んだ外観の皮革バスケット釦が得られた。このことによって得られた模様の変化に力を得て出願人等は細巾極薄の皮革紐条帯１に図４の（ロ）のような曲線模様５、ぼかし模様１０、図４の（ハ）のような図案１１であってもよい。このような細巾極薄の皮革紐帯１に単純な着色模様を付して皮革バスケット釦は予想を超えた典雅な皮革バスケット釦であったり、格調のある皮革バスケット釦であったり、それぞれが趣味感に溢れる皮革バスケット釦を得た。更に、皮革バスケット釦ａの大小は、細巾極薄の皮革紐条帯１の巾とそ厚み等の容量によりほぼ決定される。前記の各種の模様は着色模様がよいが非着色模様でもよい。
【実施例２】
【００１４】細巾極薄の皮革紐条帯１の表面側に望ましい曲線、直線、柄、文様、図案、パターン、又はぼかし模様絵は、プレス手段によって凹模様８を付するようにして皮革バスケット釦とした。なお、図４（ニ）の凹部にはその美感を表現するために着色又は、金箔、銀箔等の箔材を箔押した箔模様６を形成することも自由である。
【実施例３】
【００１５】更に、この実施例では、細巾極薄の皮革紐条帯１の表面側に望ましい曲線、直線、柄、文様、図案、パターン、は、縫製手段によるステッチ模様９を形成して皮革バスケット釦としたものである。
【産業上の利用の可能性】
【００１６】本件考案の特異性は、細巾極薄の皮革紐帯１の表面側に表現された模様、図案は極めて単純なものであっても、素材である細巾極薄の皮革紐条帯を粗編み、型押機でプレスして釦の形状に成形して本件考案の皮革バスケット釦を成形した段階では全体の皮革バスケット釦の外観の印象を典雅、荘重、格調のある外観の皮革バスケット釦とすることができる。このことはこのような皮革バスケット釦を使用した製品のグレードを数段階高める。
【図面の簡単な説明】
【００１７】
【図１】細巾極薄の皮革紐条帯の平面図である
【図２】本考案の皮革バスケット釦の平面図である
【図３】本考案の皮革バスケット釦の側面図である
【図４】（イ）、（ロ）、（ハ）、（ニ）、（ホ）、（ヘ）は表面側に縦方向に施された各種の模様を表してなる本考案の細巾極薄の皮革紐条帯の部分平面図である  （イ）は、斜線の着色模様を施した皮革紐条帯の部分平面図である  （ロ）は、蛇行した曲線の着色模を皮革紐条帯の部分平面図である  （ハ）は、菱形模様を組み合わせた皮革紐条帯の部分平面図である  （ニ）はプレスにて連続した凹状模様を形成した皮革紐条帯の部分平面図である  （ホ）は縦方向に曲状の着色グラデーション模様を表した皮革紐条帯の部分平面図である  （ヘ）は縦方向のステッチを表した皮革紐条帯の部分平面図である
【図５】図４の（ニ）のＡ−Ａ線断面図である
【図６】従来の皮革バスケット釦の平面図である
【図７】従来の皮革バスケット釦の側面図である
【符号の説明】
【００１８】１．．．  皮革紐条帯２．．．  表面側４．．．  彫り加工５．．．  曲線模様６．．．  箔模様７．．．  斜線模様８．．．  凹模様９．．．  ステッチ模様１０．．  ぼかし模様１１．．  図案ａ．．．  頭部ｂ．．．  脚部
【図１】
0003176259.tif 000003
【図２】
0003176259.tif 000004
【図３】
0003176259.tif 000005
【図４】
0003176259.tif 000006
【図５】
0003176259.tif 000007
【図６】
0003176259.tif 000008
【図７】
0003176259.tif 000009